(57)【要約】【課題】摂餌をより制限でき、よって、ストレス発散効果が得られ、消化不良の原因をなくし、栄養を摂取出来ない個体がでにくいサル用制限給餌器を提供する。【解決手段】ゲージ５の外部に位置するエサ投入口７から斜め下に連通して、ケージの内部に本体１１が位置する。この本体に形成される金網カゴ部１７を構成する金網の目２３は、エサ９が保持されるとともにサル３の指２５が入る大きさである。また、金網カゴ部１７の幅は、金網カゴ部の一方の側面から入ったサルの指２５が、エサ９を押して他方の側面へ押し付けうる大きさである。【選択図】図１
2010000034.tif 000002
【特許請求の範囲】
【請求項１】
サルのケージに取り付けられる給餌器において、ケージの外部に位置するエサ投入口と、このエサ投入口から斜め下に連通して前記ケージの内部に位置する本体と、この本体に形成される金網カゴ部を有し、この金網カゴ部を構成する金網の目は、エサが保持されるとともにサルの指が入る大きさであり、金網カゴ部の幅は、金網カゴ部の一方の側面から入ったサルの指がエサを押して他方の側面へ押し付けうる大きさであることを特徴とするサル用制限給餌器。
【請求項２】
前記エサは、略球形の人工固形食であり、前記金網の目は、前記略球形の直径の３／５から４／５の大きさで、かつ、サルの指の太い部分より２ｍｍ以上大きい大きさであることを特徴とする請求項１に記載のサル用制限給餌器。
【発明の詳細な説明】
【技術分野】
【０００１】
この発明は、サルの給餌器に、摂餌を制限する金網を設けた給餌器に関する。
【背景技術】
【０００２】
図４に示すように、従来、サル用給餌器１０１は、金属製箱状で、エサ１０３を投入するため上面１０５が開放された容器１０７が、ケージ１０９の外側に取り付けられる。この容器１０７のケージ側の面には、サル１１１の手１１３が入る程度の孔１１５が開けられている。ケージ内のサル１１１は、この孔１１５から手１１３を伸ばし、サル用給餌器１０１の底のエサ１０３を取り出す。この孔１１５を十分に小さくすることで、少量ずつ摘み出せるように設計されている。
【０００３】
このようなサル用給餌器１０１は、サル１１１が食べやすく、エサ１０３がこぼれにくい構造に主眼が置かれていた。
【発明の開示】
【発明が解決しようとする課題】
【０００４】
しかしながら、従来のサル用給餌器１０１では、サル１１１はエサ１０３の取り出しを頻繁に繰り返すことで、給餌後の短時間でエサ１０３を食べ切ってしまう個体もあり、消化不良の原因となっている。
また、頻繁な取出しにより、スノコ１１７の下へエサ１０３が脱落したり、エサ１０３の食い散らかし等により必要量の栄養を摂取出来ない個体も発生し、発育に支障を起こすことがある。 
この発明は、以上の問題点を解決するために、摂餌をより制限でき、よって、消化不良の原因をなくし、栄養を摂取出来ない個体がでにくいサル用制限給餌器を提供することを目的とする。
【課題を解決するための手段】
【０００５】
以上の課題を解決するために、第一発明は、サルのケージに取り付けられる給餌器において、ケージの外部に位置するエサ投入口と、このエサ投入口から斜め下に連通して前記ゲージの内部に位置する本体と、この本体に形成される金網カゴ部を有し、この金網カゴ部を構成する金網の目は、エサが保持されるとともにサルの指が入る大きさであり、金網カゴ部の幅は、金網カゴ部の一方の側面から入ったサルの指がエサを押して他方の側面へ押し付けうる大きさであることを特徴とするサル用制限給餌器である。
【０００６】
第二発明は、さらに、前記エサは、略球形の人工固形食であり、前記金網の目は、前記略球形の直径の３／５から４／５の大きさで、かつ、サルの指の太い部分より２ｍｍ以上大きい大きさであることを基本のサイズとするが、金網の目２３サイズを変えることによりエサ１０３の金網の目２３から露出する体積が増減し、サルの摂餌にかかる時間も増減する。よって、金網の目２３サイズを変えることで摂餌に必要とする時間を任意にコントロールできることを特徴とするサル用制限給餌器である。
【発明の効果】
【０００７】
第一、又は第二発明によれば、ケージの外部に位置するエサ投入口から投入されたエサは、ケージの内部に位置する本体の中へ落下し、金網カゴ部に保持される。この金網カゴ部を通して、サルが摂餌する。
すなわち、サルは、この金網カゴ部の一方の面から金網の目へ指を入れ、中のエサを押して、他方の面の金網へ押し付ける。押し付けられたエサの一部は、金網の目から露出し、サルがかじる。かじられたエサは、小さくなり、さらに金網の目から露出し易くなる。
【０００８】
このようにサルは、金網に指を入れてエサを押し付け、露出した部分をかじるという、適度に困難な摂餌行動を強いられる。よって、従来のように、エサの取り出しを頻繁に繰り返すことで、給餌後の短時間でエサを食べ切ってしまうことがなくなり、１．エサを長時間で摂取するので消化器系の負担が減少する。２．摂餌に集中する時間を長くすることにより、暇を持て余す事によって生じるストレスを発散させることができ、ケージ内飼育ザルの環境改善に繋がる。３．食べこぼしが少なく、必要量のエサを確実に摂取できる。  などの効果がある。
【発明を実施するための最良の形態】
【０００９】
この発明の実施形態に係る給餌器１を、図１から図３、に示す。
図３、に示すように、この給餌器１はケージ５に外部から取付けられる。すなわち、給餌器１の取付部は、ケージ５の前面もしくは側面に位置し、その構造は、縦方向に配置された複数の金属製丸棒が一定の横間隔を空けて横方向に配列される。横方向に配列された金属製丸棒も、複数、一定の縦間隔を空けて縦方向へ配列される。これらの縦材１９、横材２１が、ケージ５の前面もしくは側面の給餌器１取付口として縦長の四角のスペースが格子状に形成される。
【００１０】
このスペースのひとつに、給餌器１が外部から挿入されて取り付けられる。すなわち、図１に示すように、給餌器１は、ケージ５の外部に位置するエサ投入口７を有する。このエサ投入口７は、エサ９を投入し易いように、上向きに末広がりの広口でロート状をなし、ケージ５の四角のスペースより広い幅を有する。
【００１１】
このエサ投入口７から斜め下に連通して、ケージ５の内部に本体１１を有する。連通部１３及び本体１１の断面形状は、ケージ５の四角のスペースに、ほぼぴったりに嵌合する。給餌器１の取付は、扉１１６の横材に給餌器ストッパーで固定される。よって、エサ投入口７からサル３の手１５は金網カゴ部１７内のエサ９に直接届かないケージ５の外側に位置する。
【００１２】
この金網カゴ部１７を構成する金網は、ステンレス製であり、通常の金網のように、縦材１９と横材２１によって、四角形の目２３が形成される。この金網の目２３は、エサ９が保持されるとともに、サル３の指２５が入る大きさである。すなわち、エサ９は、直径が１５ｍｍ〜１９ｍｍの大きさの略球形の人工固形食である。金網の目２３は、人工固形食の略球形の直径の３／５から４／５の大きさで、９ｍｍ〜１５ｍｍである。サル３の指２５の太い部分は、カニクイザルで６ｍｍ〜８ｍｍであり、これは金網の目２３内に指２５を十分挿入できる大きさである。
【００１３】
また、金網カゴ部１７の左右の幅Ｗは、図２に示すように、金網カゴ部１７の一方の側面から入ったサル３の指２５がエサ９を押して他方の側面へ押し付けうる大きさである。すなわち、サル３の人差し指、中指の長さはカニクイザルで３０ｍｍ〜５０ｍｍであり、金網カゴ部１７の幅Ｗを２０ｍｍ〜４０ｍｍにすることにより、エサ９を金網カゴ部１７の外から指２５で押さえつけることができる幅である。
【００１４】
「実施形態の効果」
この実施形態によれば、ケージ５の外部に位置するエサ投入口７から投入されたエサ９は、連通部１３を通って、ケージ５の内部に位置する本体１１の中へ落下し、金網カゴ部１７に保持される。この金網カゴ部１７を通して、サル３が摂餌する。
【００１５】
すなわち、図２に示すように、サル３は、金網カゴ部１７の上下面、左右面から指２５を入れる。そして、金網カゴ部１７の一方の面から入れた指２５で、中のエサ９を押して、他方の側の金網へ押し付ける。押し付けられたエサ９の一部は、金網の目２３から露出し、サル３がかじる。かじられたエサ９は、小さくなり、さらに金網の目２３から露出し易くなる。
【００１６】
このようにサル３は、金網に指２５を入れてエサ９を押し付け、露出した部分９Ａをかじるという、適度に困難な摂餌行動を強いられる。よって、従来のように、エサ９の取り出しを頻繁に繰り返すことで、給餌後の短時間でエサ９を食べ切ってしまうことがなく、消化不良の原因をなくせる。すなわち、エサ９を少量ずつしか食べられず、摂餌時間が長くなり、集中時間の増加によるストレス発散効果が得られる。また、消化器系の負担も軽減できる。
【００１７】
また、エサ９の頻繁な取出しをなくせるので、栄養を摂取出来ない個体がでにくい。すなわち、エサ９が金網カゴ部１７からこぼれ出ないので、食べこぼしが無くなり、必要量のエサ９を確実に摂取させることが出来る。スノコ２７の下へエサ９が脱落したりしない。
【００１８】
また、エサ１０３は金網カゴ部１７内に投入されているため、サルが給餌器１のエサ投入口７から連通部１３を通じて直接エサに触れることが無いので、汚物が混入しにくく衛生的である。
【００１９】
「他の実施形態」
以上の実施形態では、本体１１に形成される金網カゴ部１７の形状は、本体１１の断面形状の四角に対応して、直方体であったが、他の実施形態では、他の形状、例えば楕円形などでも良い。金網カゴ部１７の幅Ｗが、金網カゴ部１７の一方の側面から入ったサル３の指２５がエサ９を押して他方の側面へ押し付けうる大きさであれば、形状は限定されない。
【図面の簡単な説明】
【００２０】
【図１】この発明の一実施形態を示すサル用制限給餌器の斜視図である。
【図２】図１の作用効果を示す拡大図である。
【図３】図１のサル用制限給餌器をサルのゲージに取り付けた状態の全体概略図である。
【図４】従来例を示すもので図３に対応する全体概略図である。
【符号の説明】
【００２１】
１…給餌器、３…サル、５…ケージ、７…エサ投入口、９…エサ、１１…本体、１３…連通部、１５…手、１７…金網カゴ部、１９…縦材、２１…横材、２３…目、２５…指、２７…スノコ、１０１…サル用給餌器、１０３…エサ、１０５…上面、１０７…容器、１０９…ケージ、１１１…サル、１１３…手、１１５…孔、１１７…スノコ。
【図１】
2010000034.tif 000003
【図２】
2010000034.tif 000004
【図３】
2010000034.tif 000005
【図４】
2010000034.tif 000006